(57)【要約】  【課題】  配線の誤接続を確実に防止可能な接続装置および当該接続装置を備えた熱源装置の提供を目的とする。  【解決手段】  接続装置１は、極性を有する端子台１３，１５と、この端子台１３，１５に配線を固定するためのネジ２８，２８を一つずつ装着した構成となっている。端子台１３，１５には、二つの貫通孔２６ａ，２６ｂおよび貫通孔２７ａ，２７ｂが設けられているいるが、一方の貫通孔２６ｂ，２７ｂにはネジ２８が装着されていない。貫通孔２６ｂ，２７ｂに装着するためのネジ２８は、端子台１３，１５から離れた位置にあり、電気的に絶縁されたネジ係止部３０，３１に固定されている。【選択図】  図１
2005203202.tif 000002
【特許請求の範囲】
【請求項１】
極性を有する複数種の端子台と、当該端子台に配線を固定する固定具とを備え、複数の配線を電気的に接続する接続装置であって、前記端子台のそれぞれには、一つの固定具が装着され、二以上の固定具装着用の装着手段が設けられていることを特徴とする接続装置。
【請求項２】
極性を有する複数種の端子台と、当該端子台に配線を固定する固定具とを備え、複数の配線を電気的に接続する接続装置であって、端子台を収納する収納手段を有し、当該収納手段は、他部材を構成する構成面に装着されており、当該装着面に隣接した位置に配される隣接面と、当該隣接面に対して対向し、前記装着面から離反した対向面とを有し、前記端子台は、収納手段内であって対向面側の位置に配置されており、前記各端子台のそれぞれには、少なくとも一つの固定具と、当該固定具の数量を越える固定具装着用の装着手段が設けられていることを特徴とする接続装置。
【請求項３】
極性を有する複数種の端子台と、当該端子台に配線を固定する固定具とを備え、複数の配線を電気的に接続する接続装置であって、端子台を収納する収納手段を有し、当該収納手段は、他部材を構成する構成面に装着されており、当該装着面に対して収納手段の一端側に想定される所定の回転軸を中心として回動可能であり、前記端子台は、収納手段内であって前記回転軸とは反対側の位置に配置されており、前記各端子台のそれぞれには、少なくとも一つの固定具と、当該固定具の数量を越える固定具装着用の装着手段が設けられていることを特徴とする接続装置。
【請求項４】
収納手段は、端子台が外部に露出した姿勢において他部材の構成面に当接する当接部を有することを特徴とする請求項１乃至３のいずれかに記載の接続装置。
【請求項５】
端子台を収納する収納手段を有し、当該収納手段には、固定具を前記端子台に対して電気的に絶縁された状態で配置可能な固定具配置部を有することを特徴とする請求項１乃至４のいずれかに記載の接続装置。
【請求項６】
固定具配置部には、固定具装着用の装着手段が設けられており、固定具が前記装着手段と螺合した状態で配置されていることを特徴とする請求項５に記載の接続装置。
【請求項７】
収納手段は、他部材の底面に装着されていることを特徴とする請求項１乃至６のいずれかに記載の接続装置。
【請求項８】
固定具はネジであり、装着手段はネジが螺合可能な下穴であることを特徴とする請求項１乃至７のいずれかに記載の接続装置。
【請求項９】
請求項１乃至８のいずれかに記載の接続装置を有し、当該接続装置によって本体ケース内に収納された電気機器と、本体ケース外に配された電気機器とを接続可能であることを特徴とする熱源装置。
【発明の詳細な説明】
【技術分野】
【０００１】
本発明は、複数の機器に繋がる配線を電気的に接続する接続装置と、当該接続装置を備えた熱源装置に関するものである。
【背景技術】
【０００２】
従来より、給湯装置等の熱源装置のような機器類は、利便性を向上すべく外装ケース内に収納されている電気機器類が、リモコンや警報装置等の様な外装ケース外に配された電気機器類と接続されている。従来技術の給湯装置では、リモコン等の機器類の接続作業性を向上すると共に、配線や端子を保護すべく下記特許文献１〜３に示すような接続装置を用いて配線の接続を行っている。下記特許文献１〜３に開示されている接続装置は、極性を有する複数種の端子台を備えており、この端子台に対して配線をネジ止めすることにより熱源装置とリモコン等の機器類とを電気的に接続する構成となっている。
【特許文献１】特開平９−１９９８７４号公報
【特許文献２】特開平９−２８０６５０号公報
【特許文献３】特開２０００−２９２００５号公報
【０００３】
近年、一般的に一台の熱源装置に対して複数のリモコンや警報装置を接続することが可能となっている。そのため、従来技術の接続装置の多くは、各端子台に配線接続用のネジ等の固定具を多数設けた構成となっている。
【０００４】
また、従来技術の熱源装置のような装置類の多くは、当該装置を構成する外装ケースの側面や底面に接続装置を取り付けた構成となっている。配線の接続作業は、ドライバー等の工具を用いたネジの締結具合の調整や、配線の取り回し等のような細かな作業を伴う。そのため、従来より一般的に使用されている接続装置は、図１５に示すように、当該接続装置１００を構成するケース１０１の一端側に端子台１０２，１０３を集めて一列に並べた構成となっており、配線の接続作業時にこの端子台１０２，１０３が熱源装置２０５等の構成面１０６から離れた位置となるように装着されている。
【発明の開示】
【発明が解決しようとする課題】
【０００５】
上記したように、従来技術の接続装置の多くは、多数の配線を接続すべく、多数のネジを各端子台に装着した構成となっていた。そのため、従来技術の接続装置は、一見しただけでは各端子台に装着されているネジと、各端子台の極性との関係が分かり難かった。従って、従来技術の接続端子では、配線の誤接続を防止すべく、接続端子のケースに各ネジと極性に関する対応関係を明示したり、別途説明書を添付する等の方策が取られていた。
【０００６】
また、実際に配線の接続を行う施工現場は、狭い場所や暗い場所のように作業性の悪い場所であることが多い。また、施工作業を行う作業者によっては、各端子台の極性を十分見極めずに配線の接続が行われることがある。そのため、従来技術の接続装置では、極性が同一の端子台に取り付けられたネジに配線を誤接続してしまう可能性がある。配線が誤接続されると、機器類が動作しないという問題があった。
【０００７】
また、上記したように、従来技術の接続装置では、図１５の接続装置１００のように端子台１０２，１０３をケース１０１の一端側に一列に配した構成となっていたため、配線接続の施工性は高いが、施工作業を行う作業者が一見しただけでは極性の判別を付けにくい構成となっていた。そのため、従来技術の接続装置は、配線が誤接続されてしまう可能性があった。
【０００８】
本発明は、配線の誤接続を確実に防止可能な接続装置および当該接続装置を備えた熱源装置の提供を目的とする。
【課題を解決するための手段】
【０００９】
上記した課題を解決すべく提供される請求項１に記載の発明は、極性を有する複数種の端子台と、当該端子台に配線を固定する固定具とを備え、複数の配線を電気的に接続する接続装置であって、前記端子台のそれぞれには、一つの固定具が装着され、二以上の固定具装着用の装着手段が設けられていることを特徴とする接続装置である。
【００１０】
本発明の接続装置は、極性を有する複数の端子台を備えているが、その各端子台に初期状態で装着されている固定具は単一である。従って、本発明によれば、本来であれば異なる極性を有する端子台に接続すべき配線を同一の極性を有する端子台に接続する誤接続を確実に防止できる。
【００１１】
本発明の接続装置は、各端子台に二以上の装着手段を設けた構成であるため、固定具が装着されていない余剰の装着手段がある。そのため、本発明の接続装置は、多数の配線を接続する必要が生じた場合は、上記した余剰の装着手段に別途固定具を装着して端子を形成し、これに配線を接続することができる。
【００１２】
請求項２に記載の発明は、極性を有する複数種の端子台と、当該端子台に配線を固定する固定具とを備え、複数の配線を電気的に接続する接続装置であって、端子台を収納する収納手段を有し、当該収納手段は、他部材を構成する構成面に装着されており、当該装着面に隣接した位置に配される隣接面と、当該隣接面に対して対向し、前記装着面から離反した対向面とを有し、前記端子台は、収納手段内であって対向面側の位置に配置されており、前記各端子台のそれぞれには、少なくとも一つの固定具と、当該固定具の数量を越える固定具装着用の装着手段が設けられていることを特徴とする接続装置である。
【００１３】
本発明の接続装置は、収納手段内であって対向面側の位置、即ち他部材の構成面から離反した位置に端子台を収納した構成となっている。そのため、本発明の接続装置は、ドライバー等の工具や配線の取り回しの自由がきき、配線の接続作業が容易に行える。
【００１４】
本発明の接続装置は、極性を有する複数の端子台を対向面側に集めた構成となっているが、初期状態で各端子台に装着されている固定具は一つである。そのため、本発明の接続装置は、施工作業者が一見しただけで極性の判別を付けることができ、誤配線を確実に防止できる。
【００１５】
本発明の接続装置は、各端子台に二以上の装着手段を設け、その内の一つに固定具を装着した構成である。そのため、本発明の接続装置は、初期状態において各端子台に固定具が装着されていない余剰の装着手段がある。従って、本発明の接続装置は、多数の配線を接続する必要が生じた場合に上記した余剰の装着手段に別途固定具を装着して端子を形成して配線を接続することができる。
【００１６】
請求項３に記載の発明は、極性を有する複数種の端子台と、当該端子台に配線を固定する固定具とを備え、複数の配線を電気的に接続する接続装置であって、端子台を収納する収納手段を有し、当該収納手段は、他部材を構成する構成面に装着されており、当該装着面に対して収納手段の一端側に想定される所定の回転軸を中心として回動可能であり、前記端子台は、収納手段内であって前記回転軸とは反対側の位置に配置されており、前記各端子台のそれぞれには、少なくとも一つの固定具と、当該固定具の数量を越える固定具装着用の装着手段が設けられていることを特徴とする接続装置である。
【００１７】
本発明の接続装置は、端子台が回転軸に対して反対側の位置に配置されているため配線の接続作業が容易に行える。
【００１８】
また、本発明の接続装置は、極性を有する複数の端子台が回転軸に対して対向する位置に設けられているが、端子台のそれぞれに初期状態で装着されている固定具は単一である。そのため、本発明の接続装置によれば、配線の施工作業者が一見しただけで極性の判別を付けることができ、誤配線を確実に防止できる。
【００１９】
本発明の接続装置は、収納手段が所定の回転軸を中心として回動可能であるため、配線の接続作業時に当該作業を行いやすい姿勢に調整できる。
【００２０】
本発明の接続装置は、各端子台に二以上の装着手段を設けた構成となっているが、その内の一つに固定具が装着されているだけで、他の装着手段には固定具が装着されていない。そのため、本発明の接続装置は、多数の配線を接続する必要が生じた場合に各端子台の余剰の装着手段に固定具を装着することにより新たな端子を構成することができる。
【００２１】
上記請求項１乃至３のいずれかに記載の接続装置において、収納手段は、端子台が外部に露出した姿勢において他部材の構成面に当接する当接部を有するものであってもよい。（請求項４）
【００２２】
かかる構成によれば、配線の接続時に接続装置に対して作用する荷重を他部材の構成面によってしっかりと受け止めることができる。従って、本発明によれば、配線の接続作業を容易かつ効率よく行える。
【００２３】
ここで、上記請求項１乃至４に記載の接続装置は、多数の配線を接続する際に、各端子台に設けられた余剰の装着手段に別途固定具を装着する必要がある。通常、固定具は、小さなものであるため、一度配線の施工を行ってから暫くした後に配線を増設する際には紛失されてしまっているおそれがある。また、かかる事態を想定して、別途袋等によって固定具を包装して収納手段の中に入れておく方策も考えられるが、経年劣化等により袋が破れる等した場合は余剰の固定具によって配線同士がショートするなどの不具合が生じる可能性がある。そのため、上記請求項１乃至４に記載の接続装置は、配線の増設やショート等の不具合の発生を考慮して、余剰の固定具を紛失せず電気的に絶縁された形態で保持しておくことが望ましい。
【００２４】
そこで、かかる知見に基づいて提供される請求項５に記載の発明は、端子台を収納する収納手段を有し、当該収納手段には、固定具を前記端子台に対して電気的に絶縁された状態で配置可能な固定具配置部を有することを特徴とする請求項１乃至４のいずれかに記載の接続装置である。
【００２５】
かかる構成によれば、配線の増設時に必要となる固定具を紛失することなく保持しておくことが可能である。また、本発明の接続装置は、固定具配置部に配置された固定具を端子台に対して電気的に絶縁した状態で保持可能であるため、余剰の固定具によるショート等の不具合が発生しない。
【００２６】
請求項６に記載の発明は、固定具配置部には、固定具装着用の装着手段が設けられており、固定具が前記装着手段と螺合した状態で配置されていることを特徴とする請求項５に記載の接続装置である。
【００２７】
本発明の接続装置は、固定具を固定具配置部に螺合させて保持しているため、振動等の影響を受けても固定具が固定具配置部から脱落したり、紛失したりしない。また、本発明の接続装置は、固定具配置部から固定具が脱落することによるショート等の不具合の発生を確実に防止できる。
【００２８】
上記請求項１乃至６のいずれかに記載の接続装置は、収納手段が、他部材の底面に装着されている場合に好適に使用できる。（請求項７）
【００２９】
上記請求項１乃至７のいずれかに記載の接続装置において、固定具はネジであり、装着手段はネジが螺合可能な下穴であってもよい。（請求項８）
【００３０】
また、請求項９に記載の発明は、請求項１乃至８のいずれかに記載の接続装置を有し、当該接続装置によって本体ケース内に収納された電気機器と、本体ケース外に配された電気機器とを接続可能であることを特徴とする熱源装置である。
【００３１】
一般的に、熱源装置は、狭い場所や暗い場所のように作業性の悪い場所に取り付けられることが多い。そのため、熱源装置の設置作業のうちでも配線の接続作業のような細かな作業は特に作業が困難を極める。本発明の熱源装置は、上記請求項１乃至６のいずれかに記載の接続装置によって本体ケースの内外にある電気機器同士を電気的に接続する構成であるため、設置作業や、本体ケース外に配される電気機器の増設に伴う配線の接続作業を容易に行える。
【発明の効果】
【００３２】
本発明によれば、配線の誤接続を確実に防止可能で、容易に取り付け施工可能な接続装置、並びに、熱源装置を提供できる。
【発明を実施するための最良の形態】
【００３３】
続いて、本発明の一実施形態である接続装置について説明する。図１は、本実施形態の接続装置を示す正面図である。図２は、図１に示す接続装置を示す斜視図であり、図３はこの分解斜視図である。図４は、図１に示す接続装置と二組の配線との接続状態を示す正面図である。
【００３４】
接続装置１は、第１の機器Ｅ１に電気的に繋がった配線７（７ａ，７ｂ）と、第２の機器Ｅ２に電気的に繋がった配線９（９ａ，９ｂ）とを電気的に接続するものである。配線７ａ，７ｂおよび配線９ａ，９ｂは、それぞれ極性を有している。さらに具体的には、配線７，９は、配線７ａおよび配線９ａを端子台１３，１５のいずれか一方に接続すると共に、配線７ｂおよび配線９ｂを端子台１３，１５の他方に接続する必要がある。
【００３５】
接続装置１は、図１に示すように本体ケース１１（収納手段）内の収納部１２に２つの端子台１３，１５を内蔵している。本体ケース１１は、樹脂製であり、電気絶縁性を有する。また、端子台１３，１５は、共に金属板を所定形状に成形したものであり、導電性を有する。
【００３６】
本体ケース１１は、図３のように底部１６の周囲を周壁１４で取り囲んだ、開口形状が略矩形の箱体である。本体ケース１１は、収納部１２内の前端１１ａ側に、底部１６から隆起し、他の部位よりも一段高い台座部１７，１８を有する。台座部１７，１８には、それぞれ２つの下穴２０，２１（装着手段）および下穴２２，２３（装着手段）が設けられている。下穴２０〜２３の開口径は、いずれもネジ２８（セルフタッピングスクリュー）の山径と谷形の中間であり、ネジ２８がネジ込まれることによりねじ山にあった溝が切り込まれる。台座部１７，１８は、中間に設けられた仕切り壁２５により分割され、独立している。仕切り壁２５の台座部１７，１８に隣接した位置には、配線７ｂを引っ掛けるための切り欠き２５ａが設けられている。
【００３７】
台座部１７，１８には、図１および図３に示すように金属板を所定形状に成形した端子台１３，１５が互いに接触しないように配されている。端子台１３，１５には、図１に示すように第１の機器Ｅ１に電気的に繋がる配線７ａ，７ｂが接続されており、互いに極性が異なる。端子台１３，１５には、台座部１７，１８の下穴２０〜２３に相当する位置にネジ２８（固定具）の山径よりもやや大きな貫通孔２６ａ，２６ｂおよび貫通孔２７ａ，２７ｂが形成されている。端子台１３，１５は、貫通孔２６ａ，２７ａに挿通されたネジ２８，２８を下穴２０，２２にねじ込んで固定されている。ネジ２８は、タッピングスクリューである。また、各端子台１３，１５の貫通孔２６ｂ，２７ｂには、ネジ２８は挿通されておらず、端子台１３，１５の下方にある台座部１７，１８に設けられた下穴２１，２３と連通した状態とされている。
【００３８】
収納部１２内であって、本体ケース１１の後端１１ｂ側の両角部には、底部１６から隆起したネジ係止部３０，３１（固定具配置部）が形成されている。ネジ係止部３０，３１の略中央部には、ネジ２８を係止可能な下穴３２，３３（装着手段）が形成されている。ネジ係止部３０，３１は、樹脂製の本体ケース１１の一部を構成するものであるため、台座部１７，１８に配された端子台１３，１５とは電気的に絶縁された関係にある。
【００３９】
本体ケース１１の底部１６の略中央部には、収納部１２の内外を連通する開口３７が設けられている。第２の機器Ｅ２に電気的に繋がった配線９ａ，９ｂは、開口３７を介して収納部１２内に導入され、それぞれ端子台１３，１５に装着されたネジ２８，２８によって挟み込まれて固定される。
【００４０】
上記したように、本実施形態の接続装置１は、極性の異なる端子台１３，１５にそれぞれ二つの貫通孔２６ａ，２６ｂ，２７ａ，２７ｂが設けられているが、配線固定用のネジ２８はそれぞれ一方の貫通孔２６ａ，２７ａのみに装着されている。そのため、本実施形態の接続装置１では、端子台１３あるいは端子台１５のいずれか一方のみに配線９ａ，９ｂが固定される誤接続が起こらない。
【００４１】
また、本実施形態の接続装置１は、初期状態ではネジ２８が未装着である貫通孔２６ｂ，２７ｂに装着可能なネジ２８が端子台１３，１５から離れ、電気的に絶縁状態にあるネジ係止部３０，３１に係合した状態とされている。そのため、接続装置１によれば、ネジ係止部３０，３１に係止されている二本のネジ２８を取り外し、貫通孔２６ｂ，２７ｂに装着することにより第３の機器Ｅ３の配線３８（３８ａ，３８ｂ）を第１の機器Ｅ１に電気的に接続できる。
【００４２】
また、第３の機器Ｅ３を接続する際には、先に第２の機器が下穴２０，２２（貫通孔２６ａ，２７ａ）に装着されたネジ２８，２８によって固定されている。そのため、第３の機器Ｅ３の配線３８ａ，３８ｂを接続する際には、図４のように端子台１３，１５の貫通孔２６ｂ，２７ｂを介して下穴２１，２３に別途ネジ２８を装着し、各端子台１３，１５に空き端子を構成するか、先に第２の機器Ｅ２に繋がる配線９ａ，９ｂが接続されているネジ２８，２８を緩めて配線９ａ，９ｂと共締めすることになる。そのため、接続装置１によれば、複数の機器類を電気的に接続する場合であっても極性を誤ることなく容易かつ正確に配線の接続を行える。
【００４３】
本実施形態の接続装置１は、端子台１３，１５に接続される配線が単一である場合に余剰となり、必要に応じて下穴２１，２３に装着して端子を構成するためのネジ２８をネジ係止部３０，３１にねじ込んで係止している。そのため、ネジ係止部３０，３１に係止されているネジ２８は、接続装置１が振動を受けてもネジ係止部３０，３１から脱落しない。従って、接続装置１は、ネジ２８を紛失したり、ネジ係止部３０，３１から脱落したネジ２８による端子台１３，１５のショート等の不具合が起こらない。
【実施例】
【００４４】
続いて、上記実施形態の接続装置１と同様の構成を有する接続装置を熱源装置に採用した実施例について説明する。図５（ａ）は、本実施例の熱源装置を示す正面図であり、同（ｂ）は同（ａ）の底面図、同（ｃ）は同（ａ）の側面図、同（ｄ）は同（ａ）に示す熱源装置に対する接続装置の位置関係を示す側面図である。また、図６は、本実施例において採用されている接続装置を示す正面図である。図７は、図６に示す接続装置の本体ケースを示す正面図であり、図８はこの側面図である。図９は、図７のＡ−Ａ断面図であり、図１０は、図９のＢ方向矢視図である。図１１は、図５に示す熱源装置の底板を示す正面図であり、図１２はこの側面図である。図１３（ａ）は、熱源装置に対する接続装置の第１の姿勢を示す側面図であり、同（ｂ）はこの底面図である。図１４（ａ）は、熱源装置に対する接続装置の第１の姿勢を示す側面図であり、同（ｂ）はこの正面一部破断図であり、同（ｃ）はこの底面図である。なお、本実施例の接続装置は、上記実施形態において説明した接続装置１と略同一の構成を有するため、共通する部分については同一の符号を付し、詳細の説明については省略する。また、以下の説明において上下左右の位置関係は、特に断りのない限り図１に示すように熱源装置および接続装置を配置した状態を基準として説明する。さらに、前後の位置関係についても、特に断りのない限り図１に示すように熱源装置を設置した際に手前側となる方向を前方とする。
【００４５】
図５において、２は本実施形態の熱源装置であり、１０はこれに採用されている接続装置である。熱源装置２は、従来公知の熱源装置と同様に、外部から供給された燃料を燃焼し、これにより発生する熱によって湯水を加熱するものである。接続装置１０は、熱源装置２の外装ケース３（他部材）の底面５（構成面）側に装着されており、外装ケース３内に収納されている電子基板６（機器）に繋がる配線７（７ａ，７ｂ）と、外装ケース３の外部にあるリモコン８（機器）に繋がる配線９（９ａ，９ｂ）とを電気的に接続するものである。電子基板６は、熱源装置２の動作を司るコントロールユニットを構成するものであり、リモコン８から発信される指令を受けて出湯温度の制御等を行うものである。
【００４６】
接続装置１０は、図６に示すように本体ケース３５（収納手段）内の収納部１２に２つの端子台１３，１５を内蔵している。本体ケース３５は、樹脂製であり、電気絶縁性を有する。また、端子台１３，１５は、共に金属板を所定形状に成形したものであり、導電性を有する。
【００４７】
本体ケース３５は、底部１６の周囲を周壁１４で取り囲んで形成される収納部１２を有し、上記実施形態の接続装置１において採用されている本体ケース１１と共通する構成を有するが、構成の一部が異なる。以下、本体ケース３５の構成について本体ケース１１と構成の異なる部分を中心に説明する。
【００４８】
図７に示すように、本体ケース３５は、本体ケース１１と同様に収納部１２内の前端３５ａ側に底部１６から隆起し、下穴２０，２１および下穴２２，２３が形成された台座部１７，１８を有する。台座部１７，１８の中間には仕切り壁２５が設けられており、これにより両者の領域が分割されている。台座部１７，１８には、図６のように導電性を有する端子台１３，１５が互いに接触しないように配されている。これにより、端子台１３，１５には、熱源装置２の外装ケース３内から導出され、電子基板６（機器）に繋がる配線７ａ，７ｂに接続されている。
【００４９】
端子台１３，１５は、貫通孔２６ａ，２６ｂおよび貫通孔２７ａ，２７ｂを有しており、それぞれ一方の貫通孔２６ａ，２７ａに挿通されたネジ２８，２８によって固定されている。端子台１３，１５の貫通孔２６ｂ，２７ｂには、ネジ２８は挿通されておらず、端子台１３，１５の下方にある台座部１７，１８に設けられた下穴２１，２３と連通した状態とされている。
【００５０】
収納部１２内であって、本体ケース３５の後端３５ｂ側の両角部には、底部１６から隆起し、その略中央部に下穴３２，３３を有するネジ係止部３０，３１が形成されている。下穴３２，３３には、図６のように初期状態において端子台１３，１５に装着されない余剰のネジ２８が係止される。ネジ係止部３０，３１は、本体ケース３５の一部を構成するものであり、樹脂製である。そのため、ネジ係止部３０，３１に係止されているネジ２８は、台座部１７，１８に配された端子台１３，１５とは電気的に絶縁された関係にある。また、ネジ２８は、下穴３２，３３にねじ込まれて係止しているため、多少の振動等を受けても外れない。そのため、接続装置１０では、余剰のネジ２８，２８による端子台１３，１５のショートが起こらない。
【００５１】
本体ケース３５は、底部１６に開口３４があり、この開口３４に連通し、外側に向けて突出した筒部３６が形成されている。筒部３６は、リモコン８に繋がれた配線９ａ，９ｂを収納部１２内に挿通するためのものである。
【００５２】
本体ケース３５の前端３５ａ側には、外側に向けて突出した係止部４０が形成されている。係止部４０は、本体ケース３５に対して水平方向に突出した水平部４１と、これに対して垂直上方、即ち本体ケース３５の開口方向に向けて突出した一対の係止爪４３，４３を有する。係止爪４３の先端部分には、外側（対向する係止爪４３の反対側）に向けて膨出し、先細り状に形成された爪部４５が形成されている。係止爪４３は、互いに近接離反する方向（図６の矢印Ａ方向）に弾性変形可能である。水平部４１の中央には、係止爪４３と同様に垂直上方に向けて突出した円柱状の突出片４２が設けられている。
【００５３】
本体ケース３５の後端３５ｂ側には、ネジ係止部３０，３１の側方から本体ケース３５の上方（開口側）に向けて四半円状に突出した一対の係止片４６，４６が設けられている。係止片４６の先端部分には、外側（対向する係止片４６の反対側）に向けて膨出し、先細り状に形成された爪部４７と係合凹部４８とが設けられている。係止片４６は、互いに近接離反する方向（図６の矢印Ａ方向）に弾性変形可能である。
【００５４】
本体ケース３５は、後端３５ｂ側に周壁１４の一部が開放され、水平方向外側に向けて延出した後端水平部５０を有する。後端水平部５０には、配線保持片５１が設けられている。熱源装置２側から導出された配線７ａ，７ｂは、配線保持片５１に束ねて保持されている。また、後端水平部５０の裏面側には、本体ケース３５の幅方向（図６，７の左右方向）に伸びる回動軸５２が固定されている。
【００５５】
後端水平部５０の側方には、図８，９に示す状態で下方に向けて延伸した側壁部５３が形成されている。側壁部５３は、接続装置１０の本体ケース３５を図１３に示す姿勢から図１４に示す姿勢にしたときに熱源装置２の底面５に当接し、本体ケース３５の姿勢を維持する。
【００５６】
熱源装置２の底面５には、上記した本体ケース３５の形状に合わせて、図１１に示すような係合孔群５５が設けられている。なお、熱源装置２の底面５には、外装ケース３内に他の配管類を導入するための孔が設けられているが図示せず省略している。係合孔群５５は、外装ケース３の背面側（図１１において矢印Ｒ側）から正面側（図１１において矢印Ｆ側）に向けて本体ケース３５の形状に合わせて係合孔５６、移動規制孔５７および開口部５８を設けた構成となっている。
【００５７】
さらに具体的には、底面５には本体ケース３５の係合爪４３，４３に相当する位置に係合孔５６，５６が設けられており、その中間位置であって本体ケース３５の突出片４２に相当する位置に移動規制孔５７が設けられている。また、収納部１２に相当する位置には開口部５８が設けられている。開口部５８の端部（外装ケース３の正面側）には、図１２のように外装ケース３の背面側に向けて円弧状に折り返され、本体ケース３５の回動軸５２が係合する軸係合部６３が設けられている。
【００５８】
接続装置１０は、常時は図１３に示すように本体ケース３５の開口側を上方に向け、回動軸５２を底面５の軸係合部６３に係合させることにより回動自在に装着されている。図１３に示す状態では、本体ケース３５の係止爪４３が底面５の係合孔５６に係合すると共に、突出片４２が移動規制孔５７内に侵入している。これにより本体ケース３５が、前端３５ａ側が熱源装置２の正面側（図１３（ｂ）において上方側）を向き、後端３５ｂ側が熱源装置２の背面側（図１３（ｂ）において下方側）を向いた姿勢で外装ケース３の底面５に引っかかっり、支持されている。そのため、接続装置１０内に収納されている端子台１３，１５が外部に露出せず、風雨等にさらされない。
【００５９】
本体ケース３５内に収納されている端子台１３，１５に配線７，９を接続する場合、図１３に矢印Ｐで示すように本体ケース３５の前端３５ａを下方に押し下げると係合爪４３と底面５の係合孔５６との係合が解除され、回動軸５２を中心として回動する。このようにして側壁部５３が底面５に当たるまで本体ケース３５を回動させると、接続装置１０は図１４に示すように外装ケース３の底面５に対して本体ケース３５の底部１６が略直交した姿勢となる。これにより、図１４（ｂ）に示すように、本体ケース３５内に収納されている端子台１３，１５等が熱源装置２の正面側に露出する。そのため、熱源装置２は、正面側から配線の接続作業を行え、当該接続作業の効率が高い。
【００６０】
図１４（ｂ）のように本体ケース３５を姿勢を変化させると、底面５の開口部５８の縁端部分に本体ケース３５の係止片４６の先端部分に形成された係合凹部４８が嵌り込むと共に、本体ケース３５の側壁部５３が外装ケース３の底面５に当接する。そのため、図１４（ａ）のように配線７や他の配線の接続作業のためにドライバー等の工具や冶具を押し当てても本体ケース３５の姿勢がしっかりと維持され、安定している。従って、熱源装置２は、配線の接続作業を容易に行える。
【００６１】
また、本実施例の熱源装置２において、接続装置１０は、配線の接続作業を行うべく図１４（ｂ）のように姿勢変化させた時に端子台１３，１５が熱源装置２の底面５から離れた位置に移動する。そのため、接続装置１０は、端子台１３，１５への配線の接続時にドライバー等の工具や配線の取り回しの自由がきく。
【００６２】
接続装置１０は、極性を有する端子台１３，１５が前端３５ａ側に略一列に配置されているが、初期状態において端子台１３，１５にはそれぞれ一つずつのネジ２８が装着されているだけである。またさらに、端子台１３，１５の領域は、仕切り壁２５によって分断されている。そのため、接続装置１０は、一見しただけで極性の判別をつけることができ、本来であれば端子台１３，１５に分けて接続すべき配線９ａ，９ｂを端子台１３あるいは端子台１５の一方のみに接続してしまう誤接続が起こらない。
【００６３】
また、接続装置１０は、各端子台１３，１５に初期状態においてネジ２８が装着されていない余剰の貫通孔２６ｂ，２７ｂが設けられており、この貫通孔２６ｂ，２７ｂに装着するための予備のネジ２８，２８がネジ係止部３０，３１に取り付けられている。そのため、配線の増設が必要となった時にネジ係止部３０，３１からネジ２８，２８を取り外して貫通孔２６ｂ，２７ｂに装着することにより端子を増設し、配線を接続できる。
【００６４】
本実施例の接続装置１０は、本体ケース３５内のネジ係止部３０，３１にネジ２８をねじ込んで係止した構成であるため、熱源装置２の燃焼作動に伴う振動等を受けてもネジ２８が脱落したり、端子台１３，１５がショートする等の不具合が発生しない。
【００６５】
上記実施例において接続装置１０は、熱源装置２を構成する外装ケース３の底面５に装着されていたが、本発明はこれに限定されるものではなく、例えば外装ケース３の側面や正面、背面等に取り付けられても良い。また、上記実施形態では、接続装置１０を熱源装置２に取り付けた例を例示したが、本発明はこれに限定するものではなく、他のいかなる部材や装置に取り付けられても良い。
【００６６】
また、上記した接続装置１，１０は、共に所定の極性Ｐ１を有する端子として機能する端子台１３と、これとは別の極性Ｐ２を有する端子として機能する端子台１５とを一つずつ備えたものであったが、本発明はこれに限定されるものではなく、さらに多数の端子台を備えたものであってもよい。
【００６７】
上記実施形態では、各配線を端子台１３，１５に固定する固定具としてネジ２８を用いた例を例示したが、本発明はこれに限定されるものではなく、例えば端子台１３，１５側に埋め込みボルトを配置すると共に蝶ナット等の固定具を装着する構成としてもよい。
【００６８】
また、上記した接続装置１，１０では、端子台１３，１５にネジ２８を挿通可能な貫通孔２６ａ，２６ｂおよび貫通孔２７ａ，２７ｂを設けると共に、本体ケース１１，３５側にネジ２８を装着可能な下穴２０〜２３を設けた構成であったが、本発明はこれに限定されるものではない。さらに具体的には、例えば端子台１３，１５の貫通孔２６ａ，２６ｂおよび貫通孔２７ａ，２７ｂをタップ加工したネジ孔やネジ２８（タッピングスクリュー）の下穴として台座部１７，１８に一体成型やカシメ、接着固定等の手法で固定すると共に、台座部１７，１８側にネジ２８の山径よりも大きく、ネジ２８の逃がしとなる穴を設けた構成とすることも可能である。即ち、ネジ２８が係合するための穴は、端子台１３，１５側あるいは台座部１７，１８側のいずれか一方あるいは双方に設けられていればよい。
【００６９】
上記した接続装置１，１０において、ネジ２８がねじ込まれる下穴２１〜２３および下穴３２，３３は、いずれもネジ２８の侵入に伴って溝が切り込まれるものであったが、本発明はこれに限定されるものではなく、予めネジ２８に合わせてタップ加工を施したネジ穴であってもよい。
【図面の簡単な説明】
【００７０】
【図１】本発明の一実施形態の接続装置を示す正面図である。
【図２】図１に示す接続装置を示す斜視図である。
【図３】図１に示す接続装置を示す分解斜視図である。
【図４】図１に示す接続装置と二組の配線との接続状態を示す正面図である。
【図５】（ａ）は本発明の一実施例の熱源装置を示す正面図であり、同（ｂ）は同（ａ）の底面図、同（ｃ）は同（ａ）の側面図、同（ｄ）は同（ａ）に示す熱源装置に対する接続装置の位置関係を示す側面図である。
【図６】図５に示す実施例において採用されている接続装置を示す正面図である。
【図７】図６に示す接続装置の本体ケースを示す正面図である。
【図８】図６に示す接続装置の本体ケースを示す側面図である。
【図９】図７のＡ−Ａ断面図である。
【図１０】図９のＢ方向矢視図である。
【図１１】図５に示す熱源装置の底板を示す正面図である。
【図１２】図５に示す熱源装置の底板を示す側面図である。
【図１３】（ａ）は、熱源装置に対する接続装置の第１の姿勢を示す側面図であり、同（ｂ）はこの底面図である。
【図１４】（ａ）は、熱源装置に対する接続装置の第１の姿勢を示す側面図であり、同（ｂ）はこの正面一部破断図であり、同（ｃ）はこの底面図である。
【図１５】従来技術の熱源装置および接続装置の要部を示す正面図である。
【符号の説明】
【００７１】
１，１０  接続装置
２  熱源装置
３  外装ケース（他部材）
５  底面（構成面）
６  電子基板（機器）
７ａ，７ｂ  配線
８  リモコン（機器）
９ａ，９ｂ  配線
１１，３５  本体ケース（収納手段）
１２  収納部
１３，１５  端子台
１７，１８  台座部
２０，２１，２２，２３  下穴（装着手段）
２６ａ，２６ｂ，２７ａ，２７ｂ  貫通孔
２８  ネジ（固定具）
３０，３１  ネジ係止部（固定具配置部）
３２，３３  下穴（装着手段）
３８  配線
５２  回動軸
【図１】
2005203202.tif 000003
【図２】
2005203202.tif 000004
【図３】
2005203202.tif 000005
【図４】
2005203202.tif 000006
【図５】
2005203202.tif 000007
【図６】
2005203202.tif 000008
【図７】
2005203202.tif 000009
【図８】
2005203202.tif 000010
【図９】
2005203202.tif 000011
【図１０】
2005203202.tif 000012
【図１１】
2005203202.tif 000013
【図１２】
2005203202.tif 000014
【図１３】
2005203202.tif 000015
【図１４】
2005203202.tif 000016
【図１５】
2005203202.tif 000017